(57)【要約】【課題】変電自動化クライアント制御サービス試験装置及びその方法を提供する。【解決手段】本発明によるクライアント及びサーバに接続する変電自動化クライアント制御サービス試験装置が変電自動化システムに含まれたクライアントの制御サービスを試験する方法は、入力された試験選択情報を用いてガイドを設定するステップと、ガイドに従いクライアントがサーバに制御選択通信サービス要求信号を送信すると、制御選択通信パケットを用いてＩＥＣ６１８５０規格であるか否かを判断するステップと、サーバがクライアントに送信する選択応答信号によりガイドを用いてクライアントがサーバに実行通信サービス要求信号を送信すると、実行通信パケットを用いてＩＥＣ６１８５０規格であるか否かを判断するステップと、サーバがクライアントに結果条件信号を送信すると、試験結果情報を生成するステップと、を含むことを特徴とする。【選択図】図４
2011076601.tif 000002
【特許請求の範囲】
【請求項１】
クライアント及びサーバに接続し、変電自動化クライアントの制御サービスを試験する変電自動化クライアント制御サービス試験装置であって、
前記クライアントが前記サーバに通信サービス要求信号を含んだ制御命令を送信するように前記クライアントを制御する制御部と、
前記クライアントが前記サーバに送信する通信サービスの通信パケットを用いてＩＥＣ６１８５０規格であるか否かを判断する処理部と、
前記サーバが前記クライアントに送信した通信信号に応じて前記処理部で判断した結果を含む判断結果情報及び前記クライアントが前記サーバに前記通信信号に対して反応するクライアント反応情報のうちの１つ以上を含む試験結果情報を生成する生成部と、
を含むことを特徴とする変電自動化クライアント制御サービス試験装置。
【請求項２】
前記処理部は、
前記クライアントが前記サーバに送信する前記通信サービスの通信パケットをキャプチャするパケットキャプチャ部と、
前記パケットキャプチャ部でキャプチャした情報を用いて、前記通信サービスの通信パケットがＩＥＣ６１８５０規格であるか否かを判断する判断部と、を含むことを特徴とする請求項１に記載の変電自動化クライアント制御サービス試験装置。
【請求項３】
前記生成部は、
前記サーバが前記クライアントに拒絶信号を送信すると、前記サーバにエラー要求信号を送信し、前記サーバから受信したエラー情報を用いてエラー発生情報を生成することを特徴とする請求項１または２に記載の変電自動化クライアント制御サービス試験装置。
【請求項４】
前記通信サービスは、制御選択通信サービス、実行通信サービス、及びキャンセル通信サービスのうちの１つ以上を含むことを特徴とする請求項１から３の何れか１項に記載の変電自動化クライアント制御サービス試験装置。
【請求項５】
入力された試験選択情報を用いてガイドを設定する設定部をさらに含むことを特徴とする請求項１から４の何れか１項に記載の変電自動化クライアント制御サービス試験装置。
【請求項６】
前記制御部は、
前記ガイドに従い前記クライアントが前記サーバに通信サービスを要求する制御命令を送信するように、前記クライアントを制御することを特徴とする請求項５に記載の変電自動化クライアント制御サービス試験装置。
【請求項７】
前記通信信号に応じて前記試験結果情報及び前記エラー発生情報のうちの１つ以上を表示する表示部をさらに含むことを特徴とする請求項３から６の何れか１項に記載の変電自動化クライアント制御サービス試験装置。
【請求項８】
クライアントに接続する変電自動化制御処理システムであって、
前記クライアントから通信サービス要求信号を含んだ制御命令を受信すると、通信信号を前記クライアントに送信するサーバと、
前記クライアントが前記サーバに送信する通信サービスの通信パケットを用いてＩＥＣ６１８５０規格であるか否かを判断し、前記通信信号に応じて前記判断結果及び前記クライアントが前記サーバに前記通信信号に対して反応するクライアント反応情報のうちの１つ以上を含む試験結果情報を生成する変電自動化クライアント制御サービス試験装置と、
を含むことを特徴とする変電自動化制御処理システム。
【請求項９】
前記サーバが前記クライアントから受信した制御命令を行って実行結果情報を出力するスイッチ装置をさらに含むことを特徴とする請求項８に記載の変電自動化制御処理システム。
【請求項１０】
前記サーバは、前記スイッチ装置から提供される実行結果情報を用いて前記通信信号を生成することを特徴とする請求項９に記載の変電自動化制御処理システム。
【請求項１１】
前記変電自動化クライアント制御サービス試験装置は、
前記サーバが前記クライアントに拒絶信号を送信すると、前記サーバにエラー要求信号を送信し、前記サーバから受信したエラー情報を用いてエラー発生情報を生成することを特徴とする請求項１０に記載の変電自動化制御処理システム。
【請求項１２】
クライアント及びサーバに接続する変電自動化クライアント制御サービス試験装置が変電自動化システムに含まれたクライアントの制御サービスを試験する方法であって、
（ａ）入力された試験選択情報を用いてガイドを設定するステップと、
（ｂ）前記ガイドに従い前記クライアントが前記サーバに制御選択通信サービス要求信号を送信すると、制御選択通信パケットを用いてＩＥＣ６１８５０規格であるか否かを判断するステップと、
（ｃ）前記サーバが前記クライアントに送信する選択応答信号に応じて前記ガイドを用いて前記クライアントが前記サーバに実行通信サービス要求信号を送信すると、実行通信パケットを用いてＩＥＣ６１８５０規格であるか否かを判断するステップと、
（ｄ）前記サーバが前記クライアントに結果条件信号を送信すると試験結果情報を生成するステップと、を含むことを特徴とする変電自動化クライアント制御サービス試験方法。
【請求項１３】
前記試験結果情報は、
前記クライアントが反応するクライアント反応情報及び判断結果情報のうちの１つ以上を含み、
前記クライアント反応情報は、前記クライアントが前記サーバから受信した前記選択応答信号と前記結果条件信号のうちの１つ以上に対して前記クライアントが反応する情報を含み、前記判断結果情報は、前記制御選択通信パケット及び前記実行通信パケットのうちの１つ以上をＩＥＣ６１８５０規格であるか否かを判断した結果を含むことを特徴とする請求項１２に記載の変電自動化クライアント制御サービス試験方法。
【請求項１４】
前記（ｃ）ステップの後に、
前記サーバが前記クライアントに応答受諾信号を送信し、前記クライアントが前記サーバにキャンセル通信サービス要求信号を送信すると、キャンセル通信パケットを用いてＩＥＣ６１８５０規格であるか否かを判断するステップと、
前記サーバが前記クライアントにキャンセル受諾信号を送信すると、前記制御選択通信サービス要求信号のキャンセル情報を生成し、前記試験結果情報を生成するステップをさらに含むことを特徴とする請求項１２または１３に記載の変電自動化クライアント制御サービス試験方法。
【請求項１５】
前記サーバが前記クライアントに応答受諾信号を送信し、前記クライアントが前記サーバに前記キャンセル通信サービス要求信号を送信すると、前記キャンセル通信パケットを用いてＩＥＣ６１８５０規格であるか否かを判断するステップの後に、
前記サーバが前記クライアントにキャンセル拒絶信号を送信すると、前記サーバにエラー要求信号を送信し、前記サーバから受信したエラー情報を用いてエラー発生情報を生成するステップをさらに含むことを特徴とする請求項１４に記載の変電自動化クライアント制御サービス試験方法。
【請求項１６】
前記結果条件信号は、
前記サーバが通信サービス要求を受諾する情報を含んだ結果受諾信号、及び前記サーバが通信サービス要求を拒絶する情報を含んだ結果拒絶信号を含むことを特徴とする請求項１２から１５の何れか１項に記載の変電自動化クライアント制御サービス試験方法。
【請求項１７】
前記（ｄ）ステップは、
前記サーバが前記クライアントに前記結果受諾信号を送信すると、前記結果受諾信号をキャプチャして前記クライアントの制御成功情報を生成するステップを含むことを特徴とする請求項１６に記載の変電自動化クライアント制御サービス試験方法。
【請求項１８】
前記（ｄ）ステップは、
前記サーバが前記クライアントに前記結果拒絶信号を送信すると、前記結果拒絶信号をキャプチャしてエラー情報を判断し、エラー発生情報を生成するステップを含むことを特徴とする請求項１６に記載の変電自動化クライアント制御サービス試験方法。
【請求項１９】
前記（ｃ）ステップは、
前記選択応答信号が応答受諾信号であり、前記ガイドに従い前記クライアントが前記サーバに前記実行通信サービス要求信号を送信すると、前記実行通信サービス要求信号をキャプチャしてＩＥＣ６１８５０規格であるか否かを判断するステップを含むことを特徴とする請求項１２から１８の何れか１項に記載の変電自動化クライアント制御サービス試験方法。
【請求項２０】
前記（ｃ）ステップは、
前記選択応答信号が応答拒絶信号であれば、前記サーバにエラー要求信号を送信し、前記サーバから受信したエラー情報を判断してエラー発生情報を生成するステップと、
前記クライアントが前記サーバに反応するクライアント反応情報及び判断結果情報のうちの１つ以上を含む試験結果情報を生成するステップと、を含むことを特徴とする請求項１２から１８の何れか１項に記載の変電自動化クライアント制御サービス試験方法。
【請求項２１】
請求項１２から１８の何れか１項に記載の方法により変電自動化クライアント制御サービス試験装置で実行可能な命令語が実現され、変電自動化クライアント制御サービス試験装置により読み取り可能なプログラムが記録された記録媒体。
【発明の詳細な説明】
【技術分野】
【０００１】
本発明は、クライアント制御サービス試験装置に関するもので、より詳細には、変電自動化クライアント制御サービスを試験する変電自動化クライアント制御サービス試験装置及びその方法に関する。
【背景技術】
【０００２】
変電所自動化技術は、ＩＥＣ６１８５０の標準化で変電所の通信網及びシステムに関する国際規格が完成されていき、今までのＩＥＣ６０８７０シリーズ、ＤＮＰ、ＵＣＡ２．０などの自動化プロトコルから経験した試行錯誤を、最新のコンピュータソフトウェアエンジニアリング技術を活用して克服し、今後持続的に開発されていくＩＴ技術を容易に適用できるように設計された技術規格である。
【０００３】
変電自動化国際技術標準がＩＥＣ６１８５０として制定された後に、ヨーロッパを中心に多くのＩＥＤ（Ｉｎｔｅｌｌｉｇｅｎｔ  Ｅｌｅｃｔｒｏｎｉｃ  Ｄｅｖｉｃｅ）が量産され、韓国では、２００５年から行われている電力ＩＴ課題を通して１５４ｋＶ変電所に適用可能なＩＥＤ試作品の開発ができた。
【０００４】
ＩＥＤにＩＥＣ６１８５０通信サービスを適用する場合、製造会社はＩＥＣ６１８５０に定義されている通信サービスを規定に従ってＩＥＤに適用したか否かを検証する適合性試験を通過しなくてはならない。すなわち、製造会社は、ＫＥＭＡのような国際認証機関を介して、ＵＣＡの国際専門家グループ（Ｉｎｔｅｒｎａｔｉｏｎａｌ  Ｕｓｅｒｓ  Ｇｒｏｕｐ）により制定された１４種のＩＥＣ６１８５０通信サービス試験項目で構成された適合性認証を受けなければならない。
【０００５】
しかし、変電自動化システムはＩＥＤ単独で構成されるシステムではなく、クライアントとサーバとのネットワーク通信関係で構成されるシステムであるため、サーバの立場であるＩＥＤに対する通信サービスの性能検証だけでなく、相手であるクライアント（上位運営システム）に対するＩＥＣ６１８５０の通信サービス検証により完全な相互運用性（Ｉｎｔｅｒｏｐｅｒａｂｉｌｉｔｙ）が保証できるようになる。しかし、変電自動化システムのクライアントは、比較的規格化が容易であるＩＥＤとは異なって、ユーザの要求条件により機能変化が多い上位システムである場合は、規格化された適合性試験方法を適用するのに多くの制約条件が存在する。
【０００６】
変電自動化クライアントの制御試験を行うためには、特化された試験方法と共にＩＥＣ６１８５０制御機能が模擬できる仮想ＩＥＤと連携した試験装置を必要とするが、現在、特化された方法及び試験装置がない状況である。
【発明の概要】
【発明が解決しようとする課題】
【０００７】
こうした従来技術の問題点に鑑み、本発明は、ＩＥＣ６１８５０ベースの変電自動化クライアントの制御サービスを試験する変電自動化クライアント制御サービス試験装置及びその方法を提供することを目的とする。
【０００８】
また、本発明は、ＩＥＣ６１８５０ベースのクライアントの立場から、ＩＥＤとの制御サービスに対する効果的な検証と試験を行う変電自動化クライアント制御サービス試験装置及びその方法を提供することを目的とする。
【課題を解決するための手段】
【０００９】
本発明の一実施形態によれば、クライアント及びサーバに接続し、変電自動化クライアントの制御サービスを試験する変電自動化クライアント制御サービス試験装置が提供される。
【００１０】
本発明の一実施例によれば、クライアント及びサーバに接続し、変電自動化クライアントの制御サービスを試験する変電自動化クライアント制御サービス試験装置であって、上記クライアントが上記サーバに通信サービス要求信号を含んだ制御命令を送信するように上記クライアントを制御する制御部と、上記クライアントが上記サーバに送信する通信サービスの通信パケットを用いてＩＥＣ６１８５０規格であるか否かを判断する処理部と、上記サーバが上記クライアントに送信した通信信号により上記処理部で判断した結果を含む判断結果情報及び上記クライアントが上記サーバに上記通信信号に対して反応するクライアント反応情報のうちの１つ以上を含む試験結果情報を生成する生成部と、を含むことを特徴とする変電自動化クライアント制御サービス試験装置が提供される。
【００１１】
また、上記処理部は、上記クライアントが上記サーバに送信する上記通信サービスの通信パケットをキャプチャするパケットキャプチャ部と、上記パケットキャプチャ部でキャプチャした情報を用いて、上記通信サービスの通信パケットがＩＥＣ６１８５０規格であるか否かを判断する判断部と、を含む。
【００１２】
また、上記生成部は、上記サーバが上記クライアントに拒絶信号を送信すると、上記サーバにエラー要求信号を送信し、上記サーバから受信したエラー情報を用いてエラー発生情報を生成する。
【００１３】
また、上記通信サービスは、制御選択通信サービス、実行通信サービス、及びキャンセル通信サービスのうちの１つ以上を含む。
【００１４】
また、上記変電自動化クライアント制御サービス試験装置は、入力された試験選択情報を用いてガイドを設定する設定部をさらに含む。
【００１５】
また、上記制御部は、上記ガイドに従い上記クライアントが上記サーバに通信サービスを要求する制御命令を送信するように上記クライアントを制御する。
【００１６】
また、上記変電自動化クライアント制御サービス試験装置は、上記通信信号に応じて上記試験結果情報及び上記エラー発生情報のうちの１つ以上を表示する表示部をさらに含む。
【００１７】
本発明の他の実施形態によれば、クライアントに接続する変電自動化制御処理システムが提供される。
【００１８】
本発明の一実施例によれば、クライアントに接続する変電自動化制御処理システムであって、上記クライアントから通信サービス要求信号を含んだ制御命令を受信すると、通信信号を上記クライアントに送信するサーバと、上記クライアントが上記サーバに送信する通信サービスの通信パケットを用いてＩＥＣ６１８５０規格であるか否かを判断し、上記通信信号により上記判断した結果及び上記クライアントが上記サーバに上記通信信号に対して反応するクライアント反応情報のうちの１つ以上を含む試験結果情報を生成する変電自動化クライアント制御サービス試験装置と、を含むことを特徴とする変電自動化制御処理システムが提供される。
【００１９】
また、上記変電自動化制御処理システムは、上記サーバが上記クライアントから受信した制御命令を行って実行結果情報を出力するスイッチ装置をさらに含む。
【００２０】
また、上記サーバは、上記スイッチ装置から提供する実行結果情報を用いて上記通信信号を生成する。
【００２１】
また、上記変電自動化クライアント制御サービス試験装置は、上記サーバが上記クライアントに拒絶信号を送信すると、上記サーバにエラー要求信号を送信し、上記サーバから受信したエラー情報を用いてエラー発生情報を生成する。
【００２２】
本発明のまた他の実施形態によれば、クライアント及びサーバに接続する変電自動化クライアント制御サービス試験装置が変電自動化システムに含まれたクライアント制御サービス試験方法が提供される。
【００２３】
本発明の一実施例によれば、クライアント及びサーバに接続する変電自動化クライアント制御サービス試験装置が変電自動化システムに含まれたクライアント制御サービス試験方法であって、（ａ）入力された試験選択情報を用いてガイドを設定するステップと、（ｂ）上記ガイドに従い上記クライアントが上記サーバに制御選択通信サービス要求信号を送信すると、制御選択通信パケットを用いてＩＥＣ６１８５０規格であるか否かを判断するステップと、（ｃ）上記サーバが上記クライアントに送信する選択応答信号により、上記ガイドを用いて上記クライアントが上記サーバに実行通信サービス要求信号を送信すると、実行通信パケットを用いてＩＥＣ６１８５０規格であるか否かを判断するステップと、（ｄ）上記サーバが上記クライアントに結果条件信号を送信すると、試験結果情報を生成するステップと、を含むことを特徴とする変電自動化クライアント制御サービス試験方法が提供される。
【００２４】
また、上記試験結果情報は、上記クライアントが反応するクライアント反応情報及び判断結果情報のうちの１つ以上を含み、上記クライアント反応情報は、上記クライアントが上記サーバから受信した上記選択応答信号と結果条件信号のうちの１つ以上に対して上記クライアントが反応する情報を含み、上記判断結果情報は、上記制御選択通信パケット及び上記実行通信パケットのうちの１つ以上をＩＥＣ６１８５０規格であるか否かを判断した結果を含む。
【００２５】
また、上記変電自動化クライアント制御サービス試験方法は、上記（ｃ）ステップの後に、上記サーバが上記クライアントに応答受諾信号を送信し、上記クライアントが上記サーバにキャンセル通信サービス要求信号を送信すると、キャンセル通信パケットを用いてＩＥＣ６１８５０規格であるか否かを判断するステップと、上記サーバが上記クライアントにキャンセル受諾信号を送信すると、上記制御選択通信サービス要求信号のキャンセル情報を生成し、上記試験結果情報を生成するステップをさらに含む。
【００２６】
また、上記変電自動化クライアント制御サービス試験方法は、上記サーバが上記クライアントに応答受諾信号を送信し、上記クライアントが上記サーバにキャンセル通信サービス要求信号を送信すると、キャンセル通信パケットを用いてＩＥＣ６１８５０規格であるか否かを判断するステップの後に、上記サーバが上記クライアントにキャンセル拒絶信号を送信すると、前記サーバにエラー要求信号を送信し、上記サーバから受信したエラー情報を用いてエラー発生情報を生成するステップをさらに含む。
【００２７】
また、上記結果条件信号は、上記サーバが通信サービス要求を受諾する情報を含んだ結果受諾信号及び上記サーバが通信サービス要求を拒絶する情報を含んだ結果拒絶信号を含む。
【００２８】
また、上記（ｄ）ステップは、上記サーバが上記クライアントに上記結果受諾信号を送信すると、上記結果受諾信号をキャプチャして上記クライアントの制御成功情報を生成するステップを含む。
【００２９】
また、上記（ｄ）ステップは、上記サーバが上記クライアントに上記結果拒絶信号を送信すると、上記結果拒絶信号をキャプチャして上記エラー情報を判断し、エラー発生情報を生成するステップを含む。
【００３０】
また、上記（ｃ）ステップは、上記選択応答信号が応答受諾信号であり、上記ガイドに従い上記クライアントが上記サーバに上記実行通信サービス要求信号を送信すると、上記実行通信サービス要求信号をキャプチャしてＩＥＣ６１８５０規格であるか否かを判断するステップを含む。
【００３１】
また、上記（ｃ）ステップは、上記選択応答信号が応答拒絶信号であれば、上記サーバから受信したエラー情報を判断してエラー発生情報を生成するステップと、上記クライアントが上記サーバに反応するクライアント反応情報及び判断結果情報のうちの１つ以上を含む試験結果情報を生成するステップと、を含む。
【発明の効果】
【００３２】
本発明による変電自動化クライアント制御サービス試験装置及びその方法は、ＩＥＣ６１８５０ベースの変電自動化クライアントの制御サービスを試験できるという効果がある。
【００３３】
また、本発明による変電自動化クライアント制御サービス試験装置及びその方法は、ＩＥＣ６１８５０ベースのクライアントの立場から、ＩＥＤとの制御サービスに対する効果的な検証と試験を行うことができるという効果がある。
【００３４】
なお、上記の発明の概要は、本発明の必要な特徴の全てを列挙したものではない。また、これらの特徴群のサブコンビネーションもまた、発明となりうる。
【図面の簡単な説明】
【００３５】
【図１】本発明の一実施例による変電自動化クライアント制御サービス試験装置を含む変電自動化制御処理システムを示す構成図である。
【図２】本発明の一実施例による変電自動化クライアント制御サービス試験装置を示すブロック図である。
【図３】本発明の一実施例による変電自動化制御処理システムのサーバを示す図面である。
【図４】本発明の一実施例による変電自動化クライアント制御サービス試験方法を示すフローチャートである。
【図５】ＩＥＣ６１８５０で規定するＳＢＯｗの制御フローを示す例示図である。
【図６】本発明の一実施例による、クライアントがＳｅｌｅｃｔｗｉｔｈＶａｌｕｅｓ通信サービスをサーバに要求することを示す例示図である。
【図７】本発明の一実施例による、クライアントがＯｐｅｒａｔｅ通信サービスをサーバに要求することを示す例示図である。
【図８】本発明の一実施例による、サーバがクライアントにＣｍｄＴｅｒｍ（−）応答信号を送信することを示す例示図である。
【図９】本発明の一実施例による、サーバがクライアントにＣｍｄＴｅｒｍ（＋）応答信号を送信することを示す例示図である。
【図１０】本発明の一実施例による、クライアントがキャンセル通信サービスをサーバに要求することを示す例示図である。
【発明を実施するための形態】
【００３６】
本発明は多様な変換を加えることができ、様々な実施例を有することができるため、本願では特定実施例を図面に例示し、詳細に説明する。しかし、これは本発明を特定の実施形態に限定するものではなく、本発明の思想及び技術範囲に含まれるあらゆる変換、均等物及び代替物を含むものとして理解されるべきである。本発明を説明するに当たって、係る公知技術に対する具体的な説明が本発明の要旨をかえって不明にすると判断される場合、その詳細な説明を省略する。
【００３７】
「第１」、「第２」などのような序数を含む用語は、多様な構成要素を説明するために用いられるに過ぎず、構成要素がそれらの用語により限定されるものではない。それらの用語は一つの構成要素を他の構成要素から区別する目的だけに用いられる。
【００３８】
本願で用いた用語は、ただ特定の実施例を説明するために用いたものであって、本発明を限定するものではない。単数の表現は、文の中で明らかに表現しない限り、複数の表現を含む。本願において、「含む」または「有する」などの用語は明細書上に記載された特徴、数字、段階、動作、構成要素、部品、またはこれらを組合せたものの存在を指定するものであって、一つまたはそれ以上の他の特徴や数字、段階、動作、構成要素、部品、またはこれらを組合せたものの存在または付加可能性を予め排除するものではないと理解しなくてはならない。
【００３９】
以下、添付した図面を参照して本発明による変電自動化クライアント制御サービス試験装置及びその方法の好ましい実施例を詳細に説明し、本発明を説明するに当たって、図面番号に拘わらず同一かつ対応の構成要素については、同一の図面符号を付し、これに対する重複説明は省略する。
【００４０】
図１は、本発明の一実施例による変電自動化クライアント制御サービス試験装置を含む変電自動化制御処理システムを示す構成図である。
【００４１】
図１を参照すると、変電自動化制御処理システムはクライアント１００、サーバ２００、変電自動化クライアント制御サービス試験装置３００を含む。
【００４２】
クライアント１００はネットワーク網１５０を介してサーバ２００及び変電自動化クライアント制御サービス試験装置３００と接続する。クライアント１００はサーバ２００に通信サービス要求信号を含んだ制御命令を送信し、サーバ２００から通信信号を受信すると、これに対応する反応信号を送信する。
【００４３】
サーバ２００はクライアント１００及び変電自動化クライアント制御サービス試験装置３００とネットワーク網１５０を介して接続する。サーバ２００はクライアント１００から制御命令を受信すると、制御命令に対する動作を行い、その結果に対する通信信号を生成してクライアント１００に送信する。また、サーバ２００は変電自動化クライアント制御サービス試験装置３００からエラー要求信号を受信すると、エラー情報を変電自動化クライアント制御サービス試験装置３００に送信する。サーバ２００は仮想の知能型電子装置（Ｉｎｔｅｌｌｉｇｅｎｔ  Ｅｌｅｃｔｒｏｎｉｃ  Ｄｅｖｉｃｅ：ＩＥＤ）であってもよい。以下、サーバ２００を仮想ＩＥＤ２００と称する。
【００４４】
変電自動化クライアント制御サービス試験装置３００は、クライアント１００及び仮想ＩＥＤ２００とネットワーク網１５０を介して接続する。変電自動化クライアント制御サービス試験装置３００は、ＩＥＣ６１８５０ベースでクライアント１００の制御サービスを試験する装置である。変電自動化クライアント制御サービス試験装置３００は、クライアント１００が行う動作を監視してクライアント１００の制御サービスを試験する。すなわち、変電自動化クライアント制御サービス試験装置３００は、クライアント１００が仮想ＩＥＤ２００に送信する通信サービスの通信パケットを用いてＩＥＣ６１８５０規格であるか否かを判断する。変電自動化クライアント制御サービス試験装置３００は、仮想ＩＥＤ２００がクライアント１００に送信する通信信号から判断した結果とクライアント反応情報とを含む試験結果情報を生成する。図２を参照して変電自動化クライアント制御サービス試験装置３００を詳細に説明する。
【００４５】
図２は、本発明の一実施例による変電自動化クライアント制御サービス試験装置を示すブロック図である。
【００４６】
図２を参照すると、変電自動化クライアント制御サービス試験装置３００は、通信部３１０、入力部３２０、設定部３３０、制御部３４０、処理部３５０、生成部３６０、表示部３７０、及び格納部３８０を含む。
【００４７】
通信部３１０はクライアント１００と仮想ＩＥＤ２００に接続して、変電自動化クライアントの制御サービスを試験するために必要とされるデータを送受信する。例えば、通信部３１０は仮想ＩＥＤ２００からエラー情報を受信することができる。また、通信部３１０はクライアント１００を制御するためにクライアント１００に動作信号を送信することができる。
【００４８】
入力部３２０は、ユーザからの数字または文字のような各種データが入力されるための手段であり、ユーザインターフェース（Ｕｓｅｒ  Ｉｎｔｅｒｆａｃｅ）である。入力部３２０には変電自動化クライアントの制御サービスを試験するために必要とされるデータがユーザから入力される。すなわち、入力部３２０にはユーザから試験選択情報が入力される。このとき、試験選択情報は、複数のクライアント制御試験のうちのユーザが選択したクライアント１００の制御試験を示す。入力部３２０は、例えばキーボード、マウス、ジョイスティックなどで構成されてもよい。
【００４９】
設定部３３０は、ユーザから入力部３２０を介して入力された試験選択情報を用いてガイドを設定する。すなわち、設定部３３０は試験選択情報を用いてユーザが選択したクライアント１００の制御試験を判断し、制御試験に対してクライアント１００の制御サービスを試験するために制御試験に応じて試験順序及び制御命令を含むガイドを設定する。
【００５０】
制御部３４０は、変電自動化クライアント１００の制御サービスを試験するために変電自動化クライアント制御サービス試験装置３００の構成要素を制御する。すなわち、制御部３４０は通信部３１０、入力部３２０、設定部３３０、処理部３５０、生成部３６０、表示部３７０、及び格納部３８０の動作を制御する。
【００５１】
また、制御部３４０は、変電自動化クライアント１００の制御サービスを試験するためにクライアント１００を制御する。すなわち、制御部３４０は、クライアント１００が仮想ＩＥＤ２００へガイドに従い通信サービスを要求する制御命令を送信するようにクライアント１００を制御することができる。
【００５２】
処理部３５０は、クライアント１００が仮想ＩＥＤ２００に送信する通信サービスの通信パケットを用いてＩＥＣ６１８５０規格に従って設定されているか否かを判断する。このために処理部３５０はパケットキャプチャ部３５３及び判断部３５５を含む。
【００５３】
パケットキャプチャ部３５３は、クライアント１００が仮想ＩＥＤ２００に送信する通信サービスの通信パケットをキャプチャする。また、パケットキャプチャ部３５３は、仮想ＩＥＤ２００がクライアント１００に結果受諾信号を送信すると、結果受諾信号をキャプチャすることができる。
【００５４】
判断部３５５は、パケットキャプチャ部３５３でキャプチャした情報を用いて通信サービスの通信パケットがＩＥＣ６１８５０規格に従って設定されているか否かを判断する。このとき、判断部３５５は判断結果情報を生成することができる。また、判断部３５５は結果受諾信号をキャプチャした情報を用いてクライアント１００が制御サービスに対する試験を成功に完了したことを示すクライアント１００の制御成功情報を生成することができる。
【００５５】
生成部３６０は、仮想ＩＥＤ２００がクライアント１００へ送信した通信信号に応じて試験結果情報を生成する。言い換えれば、生成部３６０は、通信信号が受諾信号であれば、クライアント１００が反応する情報を示すクライアント反応情報及び判断結果情報のうちの１つ以上を含む試験結果情報を生成する。このとき、クライアント反応情報はクライアント１００が仮想ＩＥＤ２００から受信した選択応答信号と結果条件信号のうちの１つ以上に対してクライアント１００が反応する情報を含み、判断結果情報は制御選択通信パケット及び実行パケットのうちの１つ以上に対してＩＥＣ６１８５０規格に従うか否かを判断した結果（すなわち、判断部３５５で判断した結果）を含む。
【００５６】
一方、生成部３６０は通信信号が拒絶信号であれば、クライアント反応情報、判断結果、及びエラー発生情報を用いて試験結果情報を生成する。
【００５７】
また、生成部３６０は、仮想ＩＥＤ２００がクライアント１００に拒絶信号を送信すると、仮想ＩＥＤ２００にエラー情報を要求する。生成部３６０は通信部３１０を介して受信したエラー情報を用いてエラー発生情報を生成する。そして、生成部３６０は、仮想ＩＥＤ２００がクライアント１００にキャンセル受諾信号を送信すると、制御選択通信サービス要求信号がキャンセルされたことをユーザに知らせるためにキャンセル情報を生成する。
【００５８】
表示部３７０は、生成部３６０で生成した試験結果情報及びエラー発生情報を表示する。このようにエラー発生情報を表示部３７０に表示するため、ユーザは表示部３７０に表示されたエラー発生情報を確認してエラーを解決することができる。また、表示部３７０は、仮想ＩＥＤ２００から制御命令がキャンセルされたことをユーザに知らせるために、生成部３６０から生成されたキャンセル情報を表示する。
【００５９】
表示部３７０は、通信部３１０、入力部３２０、設定部３３０、制御部３４０、処理部３５０、生成部３６０、及び格納部３８０で行われる過程を表示することができる。このとき、表示部３７０は、陰極線管、液晶表示装置（Ｌｉｑｕｉｄ  Ｃｒｙｓｔａｌ  Ｄｉｓｐｌａｙ：ＬＣＤ）、有機発光装置（Ｏｒｇａｎｉｃ  Ｌｉｇｈｔ  Ｅｍｉｔｔｉｎｇ  Ｄｉｓｐｌａｙ：ＯＬＥＤ）、電気泳動表示装置（Ｅｌｅｃｔｒｏｐｈｏｒｅｔｉｃ  Ｄｉｓｐｌａｙ：ＥＰＤ）、及びプラズマディスプレイパネル（Ｐｌａｓｍａ  Ｄｉｓｐｌａｙ  Ｐａｎｅｌ：ＰＤＰ）のようなディスプレイ装置であってもよい。また、表示部３７０は、タッチスクリーンなどを用いて入力部３２０と一体型に実現することができる。
【００６０】
格納部３８０は、変電自動化クライアント１００の制御サービスを試験するために必要とされるデータ及び変電自動化クライアント制御サービス試験装置３００の構成要素から生成されたデータを格納する。すなわち、格納部３８０は、通信部３１０から受信したエラー情報や、設定部３３０で設定したガイドを格納することができる。また、格納部３８０は、処理部３５０で生成した制御成功情報や、生成部３６０で生成した試験結果情報、エラー発生情報を格納することができる。
【００６１】
さらに、格納部３８０は、通信部３１０、設定部３３０、制御部３４０、処理部３５０、生成部３６０、及び表示部３７０の要求に応じて必要とされるデータを提供する。例えば、格納部３８０は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びフラッシュメモリ（Ｆｌａｓｈ  ｍｅｍｏｒｙ）などから構成可能である。
【００６２】
図３は、本発明の一実施例による変電自動化クライアント制御サービス試験方法のためのサーバを示す図面である。
【００６３】
仮想ＩＥＤ２００は、クライアント１００の制御サービスを試験するために、クライアント１００の制御命令を行うことができる装置が必要である。すなわち、スイッチ装置２５０は、仮想ＩＥＤ２００から提供されるクライアント１００の制御命令を行って実行結果情報を生成する。
【００６４】
仮想ＩＥＤ２００は、図３に示すように、クライアント１００から実行通信サービス（すなわち、Ｏｐｅｒａｔｅ命令）を受信する。スイッチ装置２５０は、仮想ＩＥＤ２００からＯｐｅｒａｔｅ命令が提供されると、スイッチ状態に関するフィードバックをすることができる。スイッチ装置２５０は、ＲｅｍｏｔｅとＬｏｃａｌから選択でき、Ｒｅｍｏｔｅである場合は、クライアント１００からＯｐｅｒａｔｅ命令を受信すると、スイッチ状態を自動に変換し、Ｌｏｃａｌである場合は、ユーザがスイッチ状態の［１０］、［０１］、［００］、［１１］の中から１つを選択してスイッチ状態を維持し続けるようにする。ここで、［１０］はスイッチ状態がオン（ＯＮ）であり、［０１］はスイッチ状態がオフ（Ｏｆｆ）であり、［００］はスイッチ状態が中間（Ｉｎｔｅｒｉｍ）状態であり、［１１］はスイッチ状態が悪い（Ｂａｄ）状態である。スイッチ装置２５０は、制御命令を行って実行結果情報を生成し、仮想ＩＥＤ２００へ提供する。仮想ＩＥＤ２００は、実行結果情報を用いて通信信号を生成する。例えば、仮想ＩＥＤ２００は、スイッチ装置２５０がＲｅｍｏｔｅである場合には実行結果情報を用いて結果受諾信号を生成し、スイッチ装置２５０がＬｏｃａｌである場合には実行結果情報を用いて結果拒絶信号を生成する。
【００６５】
若し、スイッチ装置２５０がＯｐｅｒａｔｅ命令を行ううちにエラーが発生すると、エラー情報を含む実行結果情報を生成する。仮想ＩＥＤ２００は実行結果情報を用いてエラー情報を抽出し、エラー情報を含む結果拒絶信号を生成する。仮想ＩＥＤ２００は、生成した結果拒絶信号をクライアント１００に送信する。
【００６６】
ここでは、仮想ＩＥＤ２００とスイッチ装置２５０を分離して説明したが、これに限定されず、仮想ＩＥＤ２００の内部にスイッチ装置２５０が構成されていて仮想ＩＥＤ２００から受信する制御命令を行うこともできる。
【００６７】
図４は、本発明の一実施例による変電自動化クライアント制御サービス試験方法を示すフローチャートである。
【００６８】
図４に示された変電自動化クライアント制御サービス試験方法を説明する前に、クライアント１００が仮想ＩＥＤ２００に送信できる制御命令は大きく４種に分けられ、再び、ＩＥＤのフィードバックの可否により２種に区分されることを説明する。
【００６９】
第１に、フィードバックのない一般的なクライアント１００の制御命令は、直接制御ＤＯと選択後制御ＳＢＯで構成される。ＤＯは、一般的に変電所において、電灯負荷などの比較的重要度が低くて、制御対象の多い場合に適用され、遮断機などの電力設備にはＳＢＯ制御が適用される。ＩＥＣ６１８５０ベースのクライアント１００は、規格で定義される制御オブジェクトを選択する際に、または制御命令を実行する際に１つの値でなくて、多数の属性からなる制御オブジェクトを利用しなくてはならない。制御オブジェクトは、ＣｔｌＶａｌ（制御値）、Ｏｒｉｇｉｎ（制御種類、名前）、ＣｔｌＮｕｍ（制御回数）、Ｔ（制御時間）、Ｔｅｓｔ（制御モード）、Ｃｈｅｃｋ（インターロックと時刻同期）の６種の属性からなり、このようにＩＥＣ６１８５０の制御はデータ単位でなくて、オブジェクト単位で行われる。
【００７０】
クライアント１００とＩＥＤとの間に行われる制御過程に使用されるＡＣＳＩ（Ａｂｓｔｒａｃｔ  Ｃｏｍｍｕｎｉｃａｔｉｏｎ  Ｓｅｒｖｉｃｅ  Ｉｎｔｅｒｆａｃｅ）には、ＧｅｔＤａｔａＶａｌｕｅｓ、Ｓｅｌｅｃｔ、Ｏｐｅｒａｔｅ、ｃａｎｃｅｌがある。
【００７１】
第２に、既存の直接及び選択後制御方式の制御要求を受けたＩＥＤが、一定時間が過ぎた後に制御対象設備の状態を監視してフィードバックの内容をリポートして送信する保安の強化された制御方式であるＤＯｗとＳＢＯｗがある。クライアント１００が、保安の強化された制御オブジェクトを選択する場合、ＳＢＯは読み取り（Ｒｅａｄ）に行うが、ＳＢＯｗは書き込み（Ｗｒｉｔｅ）命令であるＳｅｌｅｃｔｗｉｔｈＶａｌｕｅｓ  ＡＣＳＩを用いる。
【００７２】
図４では、保安の強化されたＳＢＯｗ制御サービスがＤＯ、ＤＯｗ、ＳＢＯの内容を含むので、図５に示すように、ＩＥＣ６１８５０で規定するＳＢＯｗ制御フローを中心にクライアント１００のＳＢＯｗ試験方法と試験装置の実現について説明する。
【００７３】
図４を参照すると、ステップＳ４１１では、変電自動化クライアント制御サービス試験装置３００が試験選択情報を用いてガイドを設定する。変電自動化クライアント制御サービス試験装置３００の入力部３２０には、ユーザにより複数のクライアント制御試験から選択されたクライアント制御試験を含む試験選択情報が入力される。設定部３３０は、試験選択情報を判断し、これに該当するクライアント制御試験の順序及び制御命令を含むガイドを設定する。そして、表示部３７０は、ユーザが入力した試験選択情報を表示することができる。
【００７４】
ここで、クライアント制御試験は、クライアント１００が仮想ＩＥＤ２００にｅｎｈａｎｃｅｄ  ＳＢＯのＳｅｌｅｃｔｗｉｔｈＶａｌｕｅｓ（Ｔｅｓｔ  Ｎｏｔ  Ｏｋ）を要求し仮想ＩＥＤ２００の応答に対する反応テスト、クライアント１００が仮想ＩＥＤ２００にｅｎｈａｎｃｅｄ  ＳＢＯを要求し仮想ＩＥＤ２００の応答に対する反応テスト、クライアント１００が仮想ＩＥＤ２００にｅｎｈａｎｃｅｄ  ＳＢＯを要求し仮想ＩＥＤ２００の否定応答に対する反応テスト、クライアント１００が仮想ＩＥＤ２００にｅｎｈａｎｃｅｄ  ＳＢＯのＣａｎｃｅｌを要求し仮想ＩＥＤ２００の応答に対する反応テスト、クライアント１００が仮想ＩＥＤ２００にｅＳＢＯ（Ｔｅｓｔ  ｍｏｄｅ）を要求する要求テスト、クライアント１００が仮想ＩＥＤ２００にｅＳＢＯのＣｈｅｃｋ  ｃｏｎｄｉｔｉｏｎを要求する要求テスト、クライアント１００が仮想ＩＥＤ２００にｕｎｓｅｌｅｃｔｅｄのｅＳＢＯに制御命令を要求し仮想ＩＥＤ２００の否定応答に対する反応テスト、クライアント１００が仮想ＩＥＤ２００（ｍｏｄｅ＝ｂｌｏｃｋｅｄ）にＳｅｌｅｃｔｗｉｔｈＶａｌｕｅｓを要求し仮想ＩＥＤ２００の否定応答に対する反応テスト、クライアント１００が仮想ＩＥＤ２００（ｌｏｃｋｅｄ＝Ｔｒｕｅ）にＳｅｌｅｃｔｗｉｔｈＶａｌｕｅｓを要求し仮想ＩＥＤ２００の否定応答に対する反応テストのうちの１つ以上を含むことができる。
【００７５】
ステップＳ４１３で、変電自動化クライアント制御サービス試験装置３００は、クライアント１００が仮想ＩＥＤ２００に制御選択通信サービス要求信号を送信すると、ステップＳ４１５で、制御選択通信パケットを用いてＩＥＣ６１８５０規格であるか否かを判断する。言い換えれば、変電自動化クライアント制御サービス試験装置３００の制御部３４０は、ガイドに従って、クライアント１００が仮想ＩＥＤ２００にＳｅｌｅｃｔｗｉｔｈＶａｌｕｅｓ通信サービス要求信号を送信することを判断し、パケットキャプチャ部３５３は、ＳｅｌｅｃｔｗｉｔｈＶａｌｕｅｓ通信パケットをキャプチャする。判断部３５５は、パケットキャプチャ部３５３でキャプチャした情報を用いてＩＥＣ６１８５０規格であるか否かを判断する。このように、ＳｅｌｅｃｔｗｉｔｈＶａｌｕｅｓ通信パケットをキャプチャすることをＡＣＳＩで表現した実施例を図６に示す。
【００７６】
ステップＳ４１７で、変電自動化クライアント制御サービス試験装置３００は、仮想ＩＥＤ２００がクライアント１００に送信した選択応答信号を判断する。変電自動化クライアント制御サービス試験装置３００の制御部３４０は、仮想ＩＥＤ２００からクライアント１００に送信する選択応答信号が応答受諾信号であるか否かを判断する。
【００７７】
ステップＳ４１９で、変電自動化クライアント制御サービス試験装置３００は、選択応答信号が応答受諾信号でなければエラー発生情報を生成して表示する。変電自動化クライアント制御サービス試験装置３００の生成部３６０は、選択応答信号が応答拒絶信号であれば仮想ＩＥＤ２００がクライアント１００に送信したエラー情報を判断してエラー発生情報を生成する。そして、表示部３７０はユーザがエラーを確認できるようにエラー発生情報を表示する。以後、生成部３６０は、処理部３５０で判断した結果及びクライアント反応情報を含む試験結果情報を生成することができる。
【００７８】
ステップＳ４２１で、変電自動化クライアント制御サービス試験装置３００は、選択応答信号が応答受諾信号であり、クライアント１００が実行通信サービス要求信号を送信すると、ステップＳ４２３で、実行通信パケットを用いてＩＥＣ６１８５０規格であるか否かを判断する。変電自動化クライアント制御サービス試験装置３００の制御部３４０は、選択応答信号が応答受諾信号であれば、ガイドに従いクライアント１００が仮想ＩＥＤ２００に実行通信サービス要求信号を送信するように制御する。そして、処理部３５０は、実行通信パケットを用いてＩＥＣ６１８５０規格に従って設定されているかを判断する。すなわち、パケットキャプチャ部３５３はＯｐｅｒａｔｅ通信パケットをキャプチャし、判断部３５５はパケットキャプチャ部３５３でキャプチャした情報を用いてＩＥＣ６１８５０規格であるか否かを判断する。このようにＯｐｅｒａｔｅ通信パケットをキャプチャすることをＡＣＳＩで表現した実施例を図７に示す。
【００７９】
ステップＳ４２５で、変電自動化クライアント制御サービス試験装置３００は、仮想ＩＥＤ２００がクライアント１００に送信した結果条件信号が結果受諾信号であるかを判断する。
【００８０】
ステップＳ４２７で、変電自動化クライアント制御サービス試験装置３００は、結果条件信号が結果受諾信号でなければエラー発生情報を生成して表示する。仮想ＩＥＤ２００は否定の応答を送信する場合、結果ＬａｓｔＡＰＰＬＥｒｒｏｒを含む結果拒絶信号（ＣｍｄＴｅｒｍ（−））をクライアント１００に送信する。そして、パケットキャプチャ部３５３は結果拒絶信号（ＣｍｄＴｅｒｍ（−））をキャプチャし、判断部３５５はキャプチャした情報を用いてエラー情報を判断する。このように結果拒絶信号（ＣｍｄＴｅｒｍ（−））をキャプチャすることをＡＣＳＩで表現した実施例を図８に示す。生成部３６０はエラー情報を用いてエラー発生情報を生成し、表示部３７０はエラー発生情報を表示する。
【００８１】
ステップＳ４２９で、変電自動化クライアント制御サービス試験装置３００は、結果条件信号が結果受諾信号であれば制御成功情報を生成して表示する。すなわち、変電自動化クライアント制御サービス試験装置３００のパケットキャプチャ部３５３は、仮想ＩＥＤ２００がクライアント１００に送信する結果受諾信号（ＣｍｄＴｅｒｍ（＋））をキャプチャし、判断部３５５はこれを用いてクライアント１００の制御試験を成功に完了したことを示す制御成功情報を生成する。このように結果受諾信号（ＣｍｄＴｅｒｍ（＋））をキャプチャすることをＡＣＳＩで表現した実施例を図９に示す。
【００８２】
そして、ユーザに、成功にクライアント１００の制御試験を行ったことを知らせるために表示部３７０は制御成功情報を表示する。
ステップＳ４３１で、変電自動化クライアント制御サービス試験装置３００は、クライアント反応情報及び判断結果情報を用いて試験結果情報を生成する。変電自動化クライアント制御サービス試験装置３００の生成部３６０は、クライアント１００が反応する情報を示すクライアント反応情報及び判断結果情報のうちの１つ以上を含む試験結果情報を生成する。
【００８３】
変電自動化クライアント制御サービス試験装置３００は、ステップＳ４３５で、選択応答信号が応答受諾信号であれば、ガイドに従ってクライアント１００のキャンセル通信サービス要求信号を仮想ＩＥＤ２００に送信し、ステップＳ４３７で、キャンセル通信パケットを用いてＩＥＣ６１８５０規格であるか否かを判断する。すなわち、処理部３５０のパケットキャプチャ部３５３はキャンセル通信パケットをキャプチャし、判断部３５５はキャンセル通信パケットをキャプチャした情報を用いてＩＥＣ６１８５０規格に従って設定されているかを判断する。このようにキャンセル通信パケットをキャプチャすることをＡＣＳＩで表現した実施例を図１０に示す。
【００８４】
ステップＳ４３９で、変電自動化クライアント制御サービス試験装置３００は、仮想ＩＥＤ２００からクライアント１００に送信されたキャンセル信号が、仮想ＩＥＤ２００で受諾する意味を含むキャンセル受諾信号であるか否かを判断する。
【００８５】
ステップＳ４４１で、変電自動化クライアント制御サービス試験装置３００は、キャンセル信号がキャンセル受諾信号でなければ、エラー発生情報を生成して表示する。生成部３６０は、キャンセル信号がキャンセル拒絶信号であれば、仮想ＩＥＤ２００からクライアント１００に送信されたエラー情報を用いてエラー発生情報を生成する。表示部３７０はエラー発生情報を表示する。そして、生成部３６０は、判断部３５５の判断により生成された判断結果情報及びクライアント反応情報を用いて試験結果情報を生成する。
【００８６】
ステップＳ４４３で、変電自動化クライアント制御サービス試験装置３００は、キャンセル信号がキャンセル受諾信号であれば、キャンセル情報を生成して表示する。変電自動化クライアント制御サービス試験装置３００の生成部３６０は、キャンセル信号がキャンセル受諾信号であれば、仮想ＩＥＤ２００の制御選択通信サービス要求信号のキャンセルをユーザに知らせるためにキャンセル情報を生成する。そして、表示部３７０はキャンセル情報を表示する。さらに、生成部３６０は判断結果情報及びクライアント反応情報を用いて試験結果情報を生成する。このとき、生成部３６０はキャンセル情報を含む試験結果情報を生成することができる。
【００８７】
本発明の実施例による変電自動化クライアント制御サービス試験方法は、多様なコンピュータ手段により実行できるプログラム命令形態で実現されてコンピュータ読取可能な媒体に記録されることができる。コンピュータ読取可能な媒体は、プログラム命令、データファイル、データ構造などを単独でまたは組み合わせて含むことができる。
【００８８】
コンピュータ読取可能な媒体に記録されるプログラム命令は、本発明のために特別に設計され構成されたものであってもよく、コンピュータソフトウェア分野の当業者に公知されて使用可能なものであってもよい。コンピュータ読取可能な記録媒体としては、ハードディスク、フロッピー（登録商標）、及び磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロッピー（登録商標）（ｆｌｏｐｐｙ  ｄｉｓｋ）のような磁気−光媒体（ｍａｇｎｅｔｏ−ｏｐｔｉｃａｌ  ｍｅｄｉａ）、及びＲＯＭ、ＲＡＭ、フラッシュメモリなどのプログラム命令を格納して実行するように特別に構成されたハードウェア装置が挙げられる。また、上述した媒体は、プログラム命令、データ構造などを指定する信号を送信する搬送波を含む光または金属線、導波管などの伝送媒体であってもよい。プログラム命令の例は、コンパイラにより作られるような機械語コードだけでなく、インタープリタなどを用いてコンピュータにより実行できる高級言語コードも含むことができる。
【００８９】
上述したハードウェア装置は、本発明の動作を行うために１つ以上のソフトウェアモジュールで作動するように構成されることができ、その逆も同様である。
【００９０】
以上、本発明を実施形態を用いて説明したが、本発明の技術的範囲は上記実施形態に記載の範囲には限定されない。上記実施形態に、様々な変更または改良を加えることが可能であることは当業者に明らかである。その様な変更または改良を加えた形態も本発明の技術的範囲に含まれ得ることが、特許請求の範囲の記載から明らかである。
【符号の説明】
【００９１】
１００  クライアント
２００  サーバ
２５０  スイッチ装置
３００  変電自動化クライアント制御サービス試験装置
３３０  設定部
３４０  制御部
３５０  処理部
３５３  パケットキャプチャ部
３５５  判断部
３６０  生成部
【図１】
2011076601.tif 000003
【図２】
2011076601.tif 000004
【図３】
2011076601.tif 000005
【図４】
2011076601.tif 000006
【図５】
2011076601.tif 000007
【図６】
2011076601.tif 000008
【図７】
2011076601.tif 000009
【図８】
2011076601.tif 000010
【図９】
2011076601.tif 000011
【図１０】
2011076601.tif 000012